(57)【要約】【課題】  必要に応じてモニタチャンネルに挿入されているイコライザを無効化する。【解決手段】  ＥＱ自動バイパススイッチ２２をオンして何れかの出力チャンネルの検聴を指示するキュー（ＣＵＥ）スイッチ２１ｄをオンすると、モニタチャンネルに挿入されているイコライザを自動的にバイパスして無効化する。これにより、出演者に戻している信号を検聴する場合にモニタチャンネルに挿入されているイコライザが自動的にバイパスされて出演者に供給されている音をそのまま確認することができるようになる。【選択図】  図２
2006270507.tif 000002
【特許請求の範囲】
【請求項１】
複数の混合バスと、
入力される信号のそれぞれに対し特性制御処理して前記複数の混合バスのうちの所望の混合バスへ選択的に出力する複数の入力チャンネルと、
前記複数の混合バスのそれぞれから出力される混合された信号がそれぞれ入力され、イコライザ処理を含む特性制御処理して出力する複数の出力チャンネルと、
供給される信号をイコライザ手段でイコライザ処理してモニタ出力するモニタチャンネルと、
前記複数の出力チャンネルにおける何れかの出力チャンネルのモニタを指示するモニタ指示手段と、
前記複数の入力チャンネルにおける何れかの入力チャンネルあるいは前記複数の出力チャンネルにおける何れかの出力チャンネルの検聴を指示する検聴指示手段と、
前記複数の入力チャンネルおよび前記複数の出力チャンネルにおけるいずれのチャンネルも検聴が指示されていない場合は、前記モニタ指示手段でモニタ指示された前記出力チャンネルの信号を前記モニタチャンネルへ供給し、前記検聴手段で何れかの前記入力チャンネルの検聴が指示された場合は、検聴指示された入力チャンネルにおいて特性制御処理された信号を前記モニタチャンネルへ供給し、前記検聴手段で何れかの前記出力チャンネルの検聴が指示された場合は、検聴指示された出力チャンネルにおいて特性制御処理された信号を前記モニタチャンネルへ供給するモニタ信号供給手段と、
自動バイパスの有効／無効を設定する設定手段と、
前記設定手段により自動バイパスが有効と設定され、かつ、前記検聴手段で何れかの前記出力チャンネルの検聴が指示された場合は、前記モニタチャンネルにおける前記イコライザ手段を無効化するよう制御し、前記設定手段により自動バイパスが無効と設定され、あるいは、前記検聴手段で何れの前記出力チャンネルも検聴の指示がされていないときは、前記モニタチャンネルにおける前記イコライザ手段を有効化するよう制御するバイパス制御手段と、
を備えることを特徴とするミキシング装置。
【請求項２】
前記出力チャンネルの検聴が指示された際に、前記出力チャンネル毎に前記モニタチャンネルにおける前記イコライザ手段を有効あるいは無効にする設定を行えるイコライザ設定手段を備え、
前記設定手段により自動バイパスが有効と設定され、かつ、前記検聴手段で何れかの前記出力チャンネルの検聴が指示された場合に、検聴指示された出力チャンネルに前記モニタチャンネルにおける前記イコライザ手段を有効にすると設定されていた場合は、前記バイパス制御手段は前記モニタチャンネルにおける前記イコライザ手段を有効化するよう制御することを特徴とする請求項１記載のミキシング装置。
【発明の詳細な説明】
【技術分野】
【０００１】
この発明は、入力チャンネルあるいは出力チャンネルの信号を検聴することのできるミキシング装置に関する。
【背景技術】
【０００２】
従来、多数のマイクロホンあるいは電気・電子楽器などから出力される信号のレベルや周波数バランスを調整し、ミキシングしていくつかのミキシング・グループにまとめてパワーアンプや各種録音機器に送り出したり、エフェクタや演奏しているプレーヤに送り出すミキシング装置が知られている。ミキシング装置を操作するオペレータは、楽器音や歌唱の各オーディオ信号の音量や音色を、ミキシング・コンソールにおける各種パネル操作子を出力信号をモニタしながら操作することにより、演奏を最もふさわしく表現していると思われる状態に調整している。ミキシング装置は、入力信号系列として複数の入力チャンネルと該入力チャンネルから出力される信号をミキシングする混合バスと、ミキシングされた信号を出力する出力系列である出力チャンネルを備えている。各入力チャンネルはそれぞれ入力する信号の周波数バランスや送り出しレベル等を制御して各混合バスに出力し、各混合バスはそれぞれ入力された信号をミキシングして対応する出力チャンネルに出力する。各出力チャンネルは混合バスから入力されるミキシング信号の周波数バランスやレベルを制御して出力している。
【発明の開示】
【発明が解決しようとする課題】
【０００３】
このようなミキシング装置は、演奏会、イベント、集会、演劇などに使用され、複数の混合バスを用いて、メインのスピーカ（Ｌ−Ｒ、Ｌ−Ｃ−Ｒ、・・・）へ出力する信号のミキシングと、各出演者に戻す信号（モノラル）のミキシングを行なっている。各出演者に戻される信号は、その出演者が耳に装着するインイヤーモニタに供給されたり、その出演者の近傍に置かれたステージモニタスピーカで再生される。各出力チャンネルにはパラメトリックイコライザ（ＰＥＱ）が備えられているが、必要に応じて多素子のグラフィックイコライザ（ＧＥＱ）が挿入されるようになる。このメインのスピーカへの信号を出力する出力チャンネルにおけるイコライザは、聴衆の視聴位置における周波数バランスを調整するとともに、会場内のマイクによるハウリングを防止するために設けられている。また、出演者への信号を出力する出力チャンネルのイコライザは、出演者の近傍のマイクによるハウリングを防止するとともに、各出演者の好みに応じて周波数バランスを調整するために設けられている。
【０００４】
さらに、ミキシング装置にはミキシング手段におけるミキシング状態を変化させずに、出力チャンネルから出力されてスピーカに供給される信号をモニタするモニタ機能と、ある入力チャンネルあるいは出力チャンネルの信号を検聴するための検聴（ＣＵＥ：キュー）機能とが一般的に備えられている。モニタ機能は、出力チャンネルから出力されてメインのスピーカに供給される信号がモニタミキサでミキシングされてモニタチャンネルに出力される。また、検聴機能ではキュースイッチがオンされることにより選択された入力チャンネルあるいは出力チャンネルの信号がキューバスに入力され、そのキューバスの信号（キュー信号）がモニタチャンネルに出力される。モニタチャンネルにおいては、供給される信号をイコライザでイコライザ処理してモニタルームにモニタ出力される。この場合、モニタルームでは、会場に比べて部屋が狭いため、低域がこもってぼやけた音になる。このため、モニタチャンネルのイコライザを使用してブーミーな帯域を絞り、音像がクリアになるよう調整している。
【０００５】
このモニタチャンネルに挿入されているイコライザは常時有効となっている。そのため、ある出力チャンネルの信号の検聴を行なう場合に検聴される信号には、その出力チャンネルに挿入されているイコライザとモニタチャンネルに挿入されているイコライザとの両方がかかってしまうようになる。すると、出演者に戻している信号を検聴する場合には、出演者に供給されている音をそのまま確認することができないという問題点があった。
ここで、検聴する場合にはモニタチャンネルに挿入されているイコライザを無効にすることが考えられるが、入力チャンネルを検聴する場合はその信号の品質を確認する必要があることから、モニタチャンネルに挿入されているイコライザを有効にしておく必要があり、モニタチャンネルに挿入されているイコライザを無効にすることができないことになる。さらに、混合バスでは、メインスピーカへの信号、出演者に戻す信号以外にも、外部エフェクタやレコーダに送る信号などのミキシングも行なわれており、外部エフェクタやレコーダに信号を入力する出力チャンネルを検聴する場合は、モニタチャンネルのイコライザを有効にしておく必要があった。
【０００６】
そこで、本発明は必要に応じてモニタチャンネルに挿入されているイコライザを無効化することのできるミキシング装置を提供することを目的としている。
【課題を解決するための手段】
【０００７】
上記目的を達成するために、本発明のミキシング装置は、自動バイパスが有効に設定され、かつ、検聴手段で何れかの出力チャンネルの検聴が指示された場合は、モニタチャンネルにおけるイコライザ手段を無効化するよう制御し、自動バイパスが無効に設定され、あるいは、検聴手段で何れの出力チャンネルも検聴の指示がされていないときは、モニタチャンネルにおけるイコライザ手段を有効化するようにしたことを最も主要な特徴としている。
【発明の効果】
【０００８】
本発明によれば、自動バイパスが有効に設定され、かつ、検聴手段で何れかの出力チャンネルの検聴が指示された場合は、モニタチャンネルにおけるイコライザ手段を無効化するよう制御し、自動バイパスが無効に設定され、あるいは、検聴手段で何れの出力チャンネルも検聴の指示がされていないときは、モニタチャンネルにおけるイコライザ手段を有効化したことにより、出演者に戻している信号を検聴する場合には自動バイパスを有効に設定することにより、モニタチャンネルに挿入されているイコライザが自動的にバイパスされて出演者に供給されている音をそのまま確認することができるようになる。また、自動バイパスを有効に設定しておいても、入力チャンネルの検聴を行う場合にはモニタチャンネルに挿入されているイコライザが有効となって入力チャンネルの信号の品質を確認することができるようになる。さらに、外部エフェクタやレコーダに信号を入力する出力チャンネルを検聴する場合は、自動バイパスを無効に設定することにより、外部エフェクタやレコーダに信号を入力する出力チャンネルの信号をモニタチャンネルのイコライザを有効にして検聴することができるようになる。
【発明を実施するための最良の形態】
【０００９】
必要に応じてモニタチャンネルに挿入されているイコライザを無効化することのできるミキシング装置を提供するという目的を、自動バイパスが有効に設定され、かつ、検聴手段で何れかの出力チャンネルの検聴が指示された場合は、モニタチャンネルにおけるイコライザ手段を無効化するよう制御し、自動バイパスが無効に設定され、あるいは、検聴手段で何れの出力チャンネルも検聴の指示がされていないときは、モニタチャンネルにおけるイコライザ手段を有効化することで実現した。
【００１０】
本発明のミキシング装置の実施例であるディジタルミキサの構成を示すブロック図を図１に示す。
図１に示す本発明の実施例に係るディジタルミキサ１において、ディジタルミキサ１の全体の動作を制御すると共に、ミキシング用の操作子の操作に応じて制御信号を生成しているＣＰＵ（Central Processing Unit）１０と、ＣＰＵ１０が実行するミキシング制御プログラム等の動作ソフトウェアが格納されている書き換え可能な不揮発性のフラッシュメモリ１１と、ＣＰＵ１０のワークエリアや各種データ等が記憶されるＲＡＭ（Random Access Memory）１２を備えている。このように、フラッシュメモリ１１に動作ソフトウェアを格納することにより、フラッシュメモリ１１内の動作ソフトウェアを書き換えることで、動作ソフトウェアをバージョンアップすることができる。また、ディジタルレコーダ等のその他の機器は、入出力インタフェースであるその他Ｉ／Ｏ  １３を介してディジタルミキサ１に接続される。
【００１１】
ディジタルミキサ１の全ての入力と全ての出力は波形Ｉ／Ｏ（波形データインタフェース）１４により行われる。この波形Ｉ／Ｏ１４は、アナログ信号が入力される複数のＡ入力ポートと、アナログ信号が出力される複数のＡ出力ポートと、外部からディジタル信号を入力すると共に外部へディジタル信号を出力する双方向とされている複数のＤ入力／Ｄ出力ポートとを備えている。また、波形Ｉ／Ｏ１４には、ディジタルミキサ１のオペレータが操作子を操作する際のモニタ信号を出力するモニタ用ポートも備えられている。このモニタ用ポートからのモニタ信号がオペレータルームの操作者用モニタ２０に供給されることにより、オペレータルームのオペレータは出力チャンネルの信号をモニタしながらディジタルミキサ１の操作を行うことができる。さらに、ミキシング状態を変化させずに、ある入力チャンネルあるいは出力チャンネルの信号や出演者に送られる信号を検聴することができるようになる。また、信号処理部１５は多数のＤＳＰ（Digital Signal Processor）を用いて構成されており、ＣＰＵ１０の制御の元でミキシング処理やエフェクト処理などを行っている。
【００１２】
表示器１６は、出力パッチの設定画面等を表示する液晶表示装置等からなるディスプレイである。電動フェーダ１７は、入力チャンネルの信号あるいは出力チャンネルの信号のレベルを調整するフェーダであり、手動および電動によりレベル調整することができる。操作子１８は、イコライザ自動バイパススイッチ、１２チャンネル分設けられているチャンネルストリップを出力チャンネルあるいは入力チャンネルに割り当てる割当スイッチ、表示器１６に表示されるカーソルを移動するカーソル移動キー、設定される値を増減する増減キー、設定される値を選択するロータリエンコーダ、設定した値を確定させるエンターキー等からなるパネルに設けられている操作子である。各部はバス１９に接続されている。
【００１３】
本発明にかかるディジタルミキサ１における操作子１８が設けられているパネルの外観の概略を図２に示す。
図２において、表示器１６の下側には、１２チャンネル分のチャンネルストリップ２１−１，２１−２，・・・・，２１−１２が設けられている。このチャンネルストリップ２１−１〜２１−１２には、そのチャンネルストリップ２１−１〜２１−１２に割り当てられたチャンネルを選択する選択スイッチ（ＳＥＬ）２１ａと、そのチャンネルをオンするチャンネルスイッチ２１ｂと、割り当てられたチャンネルのレベルを制御する電動フェーダ１７におけるフェーダつまみ２１ｃと、割り当てられたチャンネルを検聴するキュー（ＣＵＥ）スイッチ２１ｄがそれぞれ設けられている。このチャンネルストリップ２１−１〜２１−１２は、全入力チャンネルおよび全出力チャンネルに対応しており、１２チャンネル毎の入力チャンネルあるいは１２チャンネルの出力チャンネルが１２チャンネル分のチャンネルストリップ２１でそれぞれ制御できるようになる。すなわち、右側の中段に設けられている「マスタ」のスイッチ２３を押すことにより、１２チャンネル分のチャンネルストリップ２１−１〜２１−１２により第１出力チャンネルないし第１２出力チャンネルの出力チャンネルがそれぞれ制御できるようになる。また、「マスタ」のスイッチ２６の下の「レイヤ１」のスイッチ２４を押すことにより、１２チャンネル分のチャンネルストリップ２１−１〜２１−１２により第１入力チャンネルないし第１２入力チャンネルの入力チャンネルがそれぞれ制御できるようになり、「レイヤ２」のスイッチ２５を押すことにより、第１３入力チャンネルないし第２４入力チャンネルの入力チャンネルがそれぞれ制御できるようになり、「レイヤ３」スイッチ２６を押すことにより、第２５入力チャンネルないし第３６入力チャンネルの入力チャンネルがそれぞれ制御できるようになり、「レイヤ４」のスイッチ２７を押すことにより、第３７入力チャンネルないし第４８入力チャンネルの入力チャンネルをそれぞれ制御できるようになる。このようにして、１２チャンネルの出力チャンネルと、４８チャンネルの入力チャンネルのレベル制御やキュー設定を、チャンネルストリップ２１−１〜２１−１２により１２チャンネルずつ制御できるようにしている。
【００１４】
また、表示器１６の右上にはＥＱ自動バイパススイッチ２２が設けられており、このＥＱ自動バイパススイッチ２２をオンするとモニタチャンネルに挿入されているイコライザを自動バイパスすることができる。自動バイパスが有効とされた場合に、チャンネルストリップ２１−１〜２１−１２におけるキュー（ＣＵＥ）スイッチ２１ｄを操作して何れかの出力チャンネルの検聴を指示した時は、モニタチャンネルにおけるイコライザ手段がバイパスされて無効化される。なお、自動バイパスが有効とされていても、何れの出力チャンネルも検聴の指示がされていない時は、モニタチャンネルにおけるイコライザ手段はバイパスされず有効となる。すなわち、チャンネルストリップ２１−１〜２１−１２におけるキュー（ＣＵＥ）スイッチ２１ｄを操作して何れかの入力チャンネルの検聴を指示した時は、モニタチャンネルにおけるイコライザ手段は有効となる。また、ＥＱ自動バイパススイッチ２２がオフされて自動バイパスが無効に設定されると、モニタチャンネルにおけるイコライザ手段は常に有効とされる。
【００１５】
前記した「マスタ」のスイッチ２３、「レイヤ１」ないし「レイヤ４」のスイッチ２４ないしスイッチ２７の下に表示器１６に表示されるカーソルを上下左右に移動させるカーソル移動キー２８と、種々の設定可能な値を増減する増減キー２９と、種々の設定可能な値を選択できるロータリエンコーダ３０と、増減キー２９やロータリエンコーダ３０により選択された設定値を確定させるエンターキー３１とが設けられている。
【００１６】
次に、本発明にかかる図１に示す構成のディジタルミキサ１においてミキシング処理が行われる等価的な機能ブロック図を図３に示す。
図３において、複数のアナログ入力ポート（Ａ入力）４０に入力されたアナログ信号は、内蔵されているＡＤ変換器によりディジタル信号に変換されて入力パッチ４３に入力される。また、複数のディジタル入力ポート（Ｄ入力）４１に入力されたディジタル信号は、そのまま入力パッチ４３に入力される。入力パッチ４３では、信号の入力元である複数の入力ポートの何れか１つの入力ポートを、例えば４８チャンネルとされる複数の入力チャンネル部４４の各入力チャンネル毎に選択的にパッチ（結線）することができ、各入力チャンネルには、入力パッチ４３でパッチされた入力ポートからの信号が供給される。
【００１７】
入力チャンネル部４４における各入力チャンネルには、アッテネータ、イコライザ、コンプレッサ、フェーダ、混合バス（ＭＩＸ）４５への送り出しレベルを調整するセンド調整部が備えられており、これらの入力チャンネルにおいて、周波数バランスや混合バス（ＭＩＸ）４５へ送出されるレベルが制御される。入力チャンネル部４４から出力される４８チャンネルのディジタル信号は、ＭＩＸ１〜１２の１２本の混合バス（ＭＩＸバス）４５の１ないし複数に選択的に出力されると共に、キューバス（ＣＵＥ）４６に出力される。
混合バス（ＭＩＸ）４５においては、１２本の各バスにおいて、４８入力チャンネルのうちの任意のチャンネルから選択的に入力された１ないし複数のディジタル信号がミキシングされて、合計１２チャンネルの混合出力がＭＩＸ出力チャンネル部（ＭＩＸ出力ｃｈ）４７に出力される。これにより、１２通りにミキシングされた１２チャンネルの混合出力を得ることができる。この混合バス（ＭＩＸ）４５からの出力を最終出力としてスピーカ等に供給する場合が多くされる。
【００１８】
ＭＩＸ出力チャンネル部４７における各出力チャンネルには、アッテネータ、イコライザ、コンプレッサ、フェーダが備えられており、これらの出力チャンネルにおいて、周波数バランスおよび出力パッチ４８へ送出されるレベルが制御される。また、キューバス（ＣＵＥ）４６には、入力チャンネル部４４における検聴が指示された入力チャンネルの信号が入力されていると共に、ＭＩＸ出力チャンネル部４７における検聴が指示された出力チャンネルの信号が入力されている。なお、本発明にかかるディジタルミキサ１におけるキューモードはラストキューモードとされている。ラストキューモードでは、いずれのチャンネルも検聴が指示されていないときに、チャンネルストリップ２１−１〜２１−１２における何れかのキュー（ＣＵＥ）スイッチ２１ｄが操作されてオンされると、当該チャンネルストリップに割り当てられているチャンネルの検聴が行われるようになる。
【００１９】
すなわち、オンされたキュー（ＣＵＥ）スイッチ２１ｄに対応するチャンネルの信号がキューバス（ＣＵＥ）４６に入力され、キューバス（ＣＵＥ）４６から出力された検聴信号がモニタチャンネル部（モニタｃｈ）５２に入力されて所定のレベルとされ、モニタ用アナログ出力部（モニタ用Ａ出力）５３に供給されてオペレータルームのモニタスピーカから放音されるようになる。そして、その後で異なるチャンネルが割り当てられているチャンネルストリップ２１のキュー（ＣＵＥ）スイッチ２１ｄが操作されてオンされると、その時点まで検聴が行われていたチャンネルの検聴がキャンセルされ、新たにオンされたキュー（ＣＵＥ）スイッチ２１ｄに対応するチャンネルだけが検聴されるようになる。
【００２０】
このように、ラストキューモードは、最後にオンされたキュー（ＣＵＥ）スイッチ２１ｄに対応するチャンネルの検聴だけを行うモードであり、同時に検聴できるチャンネルは１チャンネルだけとされる。なお、キュー（ＣＵＥ）スイッチ２１ｄは自照式とされており、検聴されているチャンネルストリップのキュー（ＣＵＥ）スイッチ２１ｄだけが点灯するようになり、その他のチャンネルストリップのキュー（ＣＵＥ）スイッチ２１ｄは消灯する。なお、検聴する信号は、各チャンネルにおける電動フェーダ１７の前ないし後のポイントを選択することができるようにされている。この場合、検聴する信号を取り出すポイントは、チャンネル毎ではなく全チャンネル共通でいずれかに選択される。また、既に検聴されているチャンネルストリップの点灯されているキュー（ＣＵＥ）スイッチ２１ｄを更に操作した場合には、そのチャンネルの検聴はキャンセルされてキュー（ＣＵＥ）スイッチ２１ｄが消灯するトグル動作となる。
【００２１】
なお、モニタミキサ部５１へ出力された出力チャンネルの信号も、モニタミキサ部５１から出力されてモニタチャンネル部（モニタｃｈ）５２に入力されている。モニタミキサ部５１にはＭＩＸ出力チャンネル部４７から出力されるモニタ信号が供給されている。モニタチャンネル部（モニタｃｈ）５２では、いずれかのチャンネルの検聴が指示されてキューバス（ＣＵＥ）４６から出力された検聴信号がモニタチャンネル部（モニタｃｈ）５２に供給されている場合は、キューバス（ＣＵＥ）４６からの検聴信号を選択してモニタ用アナログ出力部（モニタ用Ａ出力）５３に供給し、いずれのチャンネルにおいても検聴が指示されておらず検聴信号がモニタチャンネル部（モニタｃｈ）５２に供給されていない場合は、モニタミキサ部５１からのモニタ信号を選択してモニタ用アナログ出力部（モニタ用Ａ出力）５３に供給している。これにより、ディジタルミキサ１の操作者は任意のチャンネルを検聴したい時に、そのチャンネルの信号を聞くことができると共に、検聴を指示しない場合はメインのスピーカに供給される信号をモニタすることができるようになる。なお、モニタミキサ部５１、モニタチャンネル部（モニタｃｈ）５２およびモニタ用アナログ出力部（モニタ用Ａ出力）３はステレオ構成とされてステレオ信号が扱われる。
【００２２】
また、ＭＩＸ出力チャンネル部４７から出力される１２チャンネルの混合出力は、出力パッチ４８に供給されている。出力パッチ４８では、信号の入力元であるＭＩＸ出力チャンネル部４７の１２チャンネルの何れか１つのチャンネルを、アナログ出力ポート部（Ａ出力）４９やディジタル出力ポート部（Ｄ出力）５０の各出力ポート毎に選択的にパッチ（結線）することができ、各出力ポートには、出力パッチ４８でパッチされたチャンネルからの信号が供給される。
また、複数のアナログ出力ポートを備えるアナログ出力ポート部（Ａ出力）４９へ供給されたディジタル出力信号は、内蔵されているＤＡ変換器によりアナログ出力信号に変換されてアナログ出力ポートから出力される。そして、アナログ出力ポート部（Ａ出力）４９から出力されるアナログ出力信号は、増幅されてメインのスピーカから放音される。さらに、このアナログ出力信号は出演者が耳に装着するインイヤーモニタに供給されたり、その出演者の近傍に置かれたステージモニタスピーカで再生される。また、複数のディジタル出力ポートを備えるディジタル出力ポート部（Ｄ入力）５０から出力されるディジタルオーディオ信号は、マルチトラックレコーダやＤＡＴ等に供給されてディジタル録音することができるようにされている。
【００２３】
さらに、ディジタルミキサ１には、例えば１６個のグラフィックイコライザ（ＧＥＱ）からなるイコライザ４２が用意されており、１６個の各イコライザ４２を入力チャンネル部（入力ｃｈ））４４やＭＩＸ出力チャンネル部４７に「INSERT」として示すように、各イコライザ４２を所望の入力チャンネルや出力チャンネルに挿入することができるようにされている。イコライザ４２が挿入されたチャンネルにおいては、イコライザ４２により信号の周波数バランスが制御されるようになる。また、イコライザ４２をモニタチャンネル部（モニタｃｈ）５２におけるモニタチャンネルに挿入してモニタ信号の周波数バランスを調整することができるようにされている。ただし、イコライザ４２を挿入できるチャンネル数の合計は最大１６チャンネルとされる。
【００２４】
なお、メインのスピーカへの信号を出力する出力チャンネルにイコライザ４２を挿入することにより、聴衆の視聴位置における周波数バランスを調整できるとともに、会場内のマイクによるハウリングを防止することができる。また、出演者への信号を出力する出力チャンネルにイコライザ４２を挿入することにより、出演者の近傍のマイクによるハウリングを防止できるとともに、各出演者の好みに応じて周波数バランスを調整することができるようになる。さらに、モニタチャンネルにイコライザ４２を挿入することにより、会場に比べて部屋が狭いモニタルームにおいて放音された音の低域がこもってぼやけた音にならないように、ブーミーな帯域を絞って音像がクリアになるよう調整することができるようになる。
ところで、イコライザ４２をチャンネルに挿入する場合には、チャンネルの所定のインサーションポイントにイコライザ４２が挿入されるようになる。この場合のチャンネルのチャンネルのインサーションポイントからイコライザ４２へ信号を供給する仮想的なポートが出力パッチ４８へ入力されているINSERT OUTとなり、イコライザ４２からの信号をチャンネルのインサーションポイントに戻す仮想的なポートが入力パッチ４３から出力されているINSERT INとなる。
【００２５】
次に、入力チャンネル部４４における入力チャンネルの構成例を図４に示すが、例えば４８チャンネルの入力チャンネルの構成は同様とされている。
図４に示す入力チャンネル４４−１は入力チャンネル部４４の内の１つのチャンネルであり、入力パッチ４３から入力された信号のレベルを調整するアッテネータ（ＡＴＴ）６０と、信号の周波数バランスを調整する４バンドパラメトリックイコライザ（ＰＥＱ）６１と、信号を圧縮するコンプレッサ（ＣＯＭＰ）６２とを備えている。これらにより特性制御処理が行われた信号は、フェーダ＆ＯＮ６４により任意のレベルに調整され、さらに混合バス（ＭＩＸ）４５における１２本の各バスへの送り出しレベルがセンド調整部６５で調整されて、混合バス（ＭＩＸ）４５へ送り出される。また、フェーダ＆ＯＮ６４の入力側と出力側の信号がプリ・ポスト切換スイッチＳＷ１の接点ａ１と接点ｂ１に供給され、プリ・ポスト切換スイッチＳＷ１の可動接点ｃ１から出力される信号はキュースイッチＳＷ２を介してキューバス（ＣＵＥ）４６に供給されている。このプリ・ポスト切換スイッチＳＷ１により、検聴される信号をフェーダ＆ＯＮ６４の前後の信号に切り換えることができる。また、キュースイッチＳＷ１は図２に示す当該入力チャンネルに割り当てられたチャンネルストリップのキュー（ＣＵＥ）スイッチ２１ｄでオン／オフ制御され、当該入力チャンネルが検聴される際にオンされる。さらに、フェーダ＆ＯＮ６４には、図２に示す当該入力チャンネルに割り当てられたチャンネルストリップのチャンネルスイッチ２１ｂでオン／オフ制御されて、当該入力チャンネルをオン／オフする入力チャンネルスイッチが備えられている。
【００２６】
前記したように入力チャンネル４４−１には、イコライザ４２における１つのＧＥＱを挿入することができる。ＧＥＱを挿入する場合は、ＧＥＱ編集画面を表示器１６に表示させてＧＥＱを挿入するチャンネルを設定する。設定したチャンネルが入力チャンネル４４−１であったとすると、図４に示すように入力チャンネルにおけるインサーションポイントとされるコンプレッサ６２とフェーダ＆ＯＮ６４との間にＧＥＱ６３が挿入されるようになる。すなわち、コンプレッサ６２の出力側が図３に示すINSERT OUTに接続されると共に、INSERT INにフェーダ＆ＯＮ６４の入力側が接続されることにより、ＧＥＱ６３がコンプレッサ６２とフェーダ＆ＯＮ６４との間に挿入されるようになる。
ここで、プリ・ポスト切換スイッチＳＷ１を接点ａ１側に切り換えてキュースイッチＳＷ２をオンすると、挿入されたＧＥＱ６３からの信号がキューバス（ＣＵＥ）４６に供給されるようになり、ＧＥＱ６３により周波数バランスが調整されているがフェーダ＆ＯＮ６４でレベル制御される前の入力チャンネル信号を検聴することができるようになる。また、プリ・ポスト切換スイッチＳＷ１を接点ｂ１側に切り換えてキュースイッチＳＷ２をオンすると、ＧＥＱ６３により周波数バランスが調整されていると共にフェーダ＆ＯＮ６４でレベル制御された入力チャンネル信号を検聴することができるようになる。
【００２７】
次に、１２チャンネルのＭＩＸ出力チャンネル部４７における出力チャンネルの構成例を図５に示すが、例えば１２チャンネルの出力チャンネルの構成は同様とされている。
図５に示す出力チャンネル４７−１はＭＩＸ出力チャンネル部４７の内の１つのチャンネルであり、１２本のバスを有する混合バス（ＭＩＸ）４５のいずれかのバスから出力された信号が入力され、入力された信号のレベルを調整するアッテネータ（ＡＴＴ）７０と、信号の周波数バランスを調整する４バンドパラメトリックイコライザ（ＰＥＱ）７１と、信号を圧縮するコンプレッサ（ＣＯＭＰ）７２とを備えている。これらにより特性制御処理が行われた信号は、フェーダ＆ＯＮ７４により任意のレベルに調整され、出力パッチ４８に供給される。また、フェーダ＆ＯＮ７４の入力側と出力側の信号がプリ・ポスト切換スイッチＳＷ３の接点ａ３と接点ｂ３に供給される。プリ・ポスト切換スイッチＳＷ３の可動接点ｃ３から出力される信号はキュースイッチＳＷ４を介してキューバス（ＣＵＥ）４６に供給されている。このプリ・ポスト切換スイッチＳＷ３により、検聴される信号をフェーダ＆ＯＮ７４の前後の信号に切り換えることができる。また、キュースイッチＳＷ４は図２に示す当該出力チャンネルに割り当てられたチャンネルストリップのキュー（ＣＵＥ）スイッチ２１ｄでオン／オフ制御され、当該出力チャンネルが検聴される際にオンされる。さらに、フェーダ＆ＯＮ７４には、図２に示す当該出力チャンネルに割り当てられたチャンネルストリップのチャンネルスイッチ２１ｂでオン／オフ制御され、当該出力チャンネルをオン／オフする出力チャンネルスイッチが備えられている。
【００２８】
前記したように出力チャンネル４７−１には、イコライザ４２における１つのＧＥＱを挿入することができる。ＧＥＱを挿入する場合は、ＧＥＱ編集画面を表示器１６に表示させてＧＥＱを挿入するチャンネルを設定する。設定したチャンネルが出力チャンネル４７−１であったとすると、図５に示すように出力チャンネルにおけるインサーションポイントとされるコンプレッサ７２とフェーダ＆ＯＮ７４との間にＧＥＱ７３が挿入されるようになる。すなわち、コンプレッサ７２の出力側が図３に示すINSERT OUTに接続されると共に、INSERT INにフェーダ＆ＯＮ７４の入力側が接続されることにより、ＧＥＱ７３がコンプレッサ７２とフェーダ＆ＯＮ７４との間に挿入されるようになる。
ここで、プリ・ポスト切換スイッチＳＷ３を接点ａ３側に切り換えてキュースイッチＳＷ４をオンすると、挿入されたＧＥＱ７３からの信号がキューバス（ＣＵＥ）４６に供給されるようになり、ＧＥＱ７３により周波数バランスが調整されているがフェーダ＆ＯＮ７４でレベル制御される前の出力チャンネル信号を検聴することができるようになる。また、プリ・ポスト切換スイッチＳＷ１を接点ｂ３側に切り換えてキュースイッチＳＷ４をオンすると、ＧＥＱ７３により周波数バランスが調整されていると共にフェーダ＆ＯＮ７４でレベル制御された出力チャンネル信号を検聴することができるようになる。
【００２９】
次に、モニタチャンネル部５２の構成例を図６に示す。
モニタチャンネル部５２は図６に示すように、キューバス（ＣＵＥ）４６からの検聴信号とモニタミキサ部５１からのモニタ信号とを切り替えるＣＵＥ／ＭＯＮ切替スイッチ８０と、モニタ出力のレベルを制御すると共にモニタチャンネルのオン／オフを制御するボリューム＆ＯＮ８２とを備えている。ＣＵＥ／ＭＯＮ切替スイッチ８０は、ＤＳＰ制御により自動的に切り替えられる。すなわち、何れかのチャンネルの検聴が指示されている場合はキューバス（ＣＵＥ）４６からの検聴信号のみが出力されるよう切り替え制御され、何れのチャンネルも検聴が指示されていない場合はモニタミキサ部５１からのモニタ信号が出力されるよう制御される。
【００３０】
前記したようにモニタチャンネル部５２にも、イコライザ４２における１つのＧＥＱを挿入することができる。ＧＥＱを挿入する場合は、ＧＥＱ編集画面を表示器１６に表示させてＧＥＱを挿入するチャンネルを設定する。設定したチャンネルがモニタチャンネルであったとすると、図６に示すようにモニタチャンネル部５２におけるインサーションポイントとされるＣＵＥ／ＭＯＮ切替スイッチ８０とボリューム＆ＯＮ８２との間にＧＥＱ８１が挿入されるようになる。すなわち、ＣＵＥ／ＭＯＮ切替スイッチ８０の出力側が図３に示すINSERT OUTに接続されると共に、INSERT INにボリューム＆ＯＮ８２の入力側が接続されることにより、ＧＥＱ８１がＣＵＥ／ＭＯＮ切替スイッチ８０とボリューム＆ＯＮ８２との間に挿入されるようになる。ＧＥＱ８１を挿入することによりブーミーな帯域を絞って音像がクリアにされた信号を操作者は聞くことができるようになる。
【００３１】
しかしながら、出力チャンネルの信号の検聴を行なう場合に検聴される信号には、その出力チャンネルに挿入されているイコライザとモニタチャンネルに挿入されているイコライザとの両方がかかってしまうようになる。すると、出演者に戻している出力チャンネルの信号を検聴する場合には、出演者に供給されている音を操作者がそのまま確認することができないことになる。そこで、このような場合にはモニタチャンネル部５２に挿入されているＧＥＱ８１を自動的にバイパスして無効化するようにしている。自動的に無効化するには図２に示すＥＱ自動バイパススイッチ２２をオンにする。すると、何れかの出力チャンネルの検聴を指示した際に、モニタチャンネル部５２に挿入されているＧＥＱ８１が自動的にバイパスされて無効化されるようになる。ただし、何れかの入力チャンネルの検聴が指示された場合は、モニタチャンネル部５２に挿入されているＧＥＱ８１がバイパスされず有効化される。このようにＥＱ自動バイパススイッチ２２をオンにすることにより、出演者に供給されている音をそのまま確認することができるようになると共に、入力チャンネルの信号の品質を確認することができるようになる。また、ＥＱ自動バイパススイッチ２２をオフにすることにより、その他Ｉ／Ｏ１３を介して外部エフェクタやレコーダに出力する出力チャンネルからの信号をＧＥＱ８１を有効にして検聴することができるようになる。
【００３２】
本発明にかかるディジタルミキサ１において電源が投入されると、各種レジスタやＲＡＭ１２が初期化されると共に前回の設定データがセットされる初期設定が行われる。ただし、前回設定が行われていない場合はデフォルトの設定データがセットされる。そして、イベントを検出した際にイベントに応じた「画面制御タスク」「パネル操作子制御タスク」「メモリ制御タスク」「ＤＳＰ制御タスク」「その他制御タスク」が実行される。
次に、パネルに設けられた「マスタ」のスイッチ２３ないし「レイヤ４」のスイッチ２７の何れかを押した際に起動されるレイヤ（ｊ）ＳＷのオンイベント処理のフローチャートを図７に示す。スイッチ２３〜スイッチ２７の何れかが押されてレイヤ（ｊ）ＳＷのオンイベント処理が起動されるとステップＳ１０にて、押されたスイッチに対応するマスタあるいはレイヤのナンバｊが識別番号のレジスタＬＮにセットされ、レイヤ（ｊ）ＳＷのオンイベント処理は終了する。
【００３３】
次に、チャンネルストリップ２１−１〜チャンネルストリップ２１−１２における何れかのフェーダ摘み２１ｃが操作された際に起動されるｃｈフェーダ（ｉ）の操作イベント処理のフローチャートを図８に示す。
チャンネルストリップ２１−１〜チャンネルストリップ２１−１２における何れかのフェーダ摘み２１ｃが操作されてｃｈフェーダ（ｉ）の操作イベント処理が起動されると、ステップＳ１１にて操作されたフェーダ摘み２１ｃの位置に応じて、カレントのＣＨ（ＬＮ，ｉ）の音量パラメータを変更する。次いで、ステップＳ１２にて変更された音量パラメータで信号処理部１５を制御して、ｃｈフェーダ（ｉ）の操作イベント処理は終了する。なお、カレントのＣＨ（ＬＮ，ｉ）は、レイヤ（ｊ）ＳＷのオンイベント処理によりセットされたレジスタＬＮで示されるマスタあるいはレイヤ１〜レイヤ４の何れかに対応する１２チャンネルの内のｉ番目のチャンネルストリップ２１−ｉが制御する入力チャンネルあるいは出力チャンネルに相当する。
【００３４】
次に、チャンネルストリップ２１−１〜チャンネルストリップ２１−１２における何れかのキュー（ＣＵＥ）スイッチ２１ｄが押された際に起動されるＣＵＥ（ｉ）ＳＷのオンイベント処理のフローチャートを図９に示す。この場合のキューモードは、前述したラストキューモードとされており、最後に押されたキュー（ＣＵＥ）スイッチ２１ｄで制御される入力チャンネルあるいは出力チャンネルのいずれかが検聴されるようになる。
チャンネルストリップ２１−１〜チャンネルストリップ２１−１２における何れかのキュー（ＣＵＥ）スイッチ２１ｄが押されると、ＣＵＥ（ｉ）ＳＷのオンイベント処理が起動されステップＳ２０にてカレントのＣＨ（ＬＮ，ｉ）を検聴が指示されたキューチャンネルｃｃとする。次いで、キューチャンネルｃｃが前回検聴が指示されたキューチャンネルｃｃｏと一致するか否かがステップＳ２１にて判断される。ここで、キューチャンネルｃｃと前回のキューチャンネルｃｃｏとが一致しないと判断された場合は新たなチャンネルの検聴が指示されたことになり、ステップＳ２２に進んでキューチャンネルｃｃでキューチャンネルｃｃｏを置き換える。次いで、ＤＳＰ制御が行われ、キューバス（ＣＵＥ）４６からモニタチャンネル部５２への信号が有効化されてモニタチャンネル部５２においてキューバス（ＣＵＥ）４６からの検聴信号が扱われるようになる。
【００３５】
そして、ステップＳ２４にてモニタチャンネルにイコライザ４２における何れかのＧＥＱが挿入されているか否かが判断される。ここで、モニタチャンネルにＧＥＱが挿入されていると判断されるとステップＳ２５に進み、検聴が指示された当該ｃｈ（ｃｃ）が出力チャンネルであるか否かが判断される。ここで、ｃｈ（ｃｃ）はキューチャンネルｃｃでありｃｈ（ｃｃ）が出力チャンネルと判断されると、ステップＳ２７に分岐して自動バイパススイッチ２２がオンされているか否かが判断される。そして、自動バイパススイッチ２２がオンされていると判断されるとステップＳ２８に進んでモニタチャンネルに挿入されている当該ＧＥＱが無効化される。また、自動バイパススイッチ２２がオンされていないと判断されるとステップＳ２６に分岐し、モニタチャンネルに挿入されている当該ＧＥＱが有効化される。さらに、ステップＳ２５にて当該ｃｈ（ｃｃ）が入力チャンネルであって出力チャンネルではないと判断されると、ステップＳ２６に進み上記したように当該ＧＥＱが有効化される。そしてステップＳ２６の処理あるいはステップＳ２８の処理が終了するとステップＳ２９に進む。なお、ステップＳ２４にてモニタチャンネルにＧＥＱが挿入されていないと判断された場合はステップＳ２９に分岐する。
【００３６】
ステップＳ２９では当該ｃｈ（ｃｃ）が割り当てられているチャンネルストリップ２１−ｉにおける自照式とされているキュー（ＣＵＥ）スイッチ２１ｄを点灯し、他のチャンネルストリップにおけるキュー（ＣＵＥ）スイッチ２１ｄを消灯する。次いで、ステップＳ３０にてＤＳＰ制御が行われてキュースイッチＳＷ２／ＳＷ４がオンされ、当該ｃｈ（ｃｃ）のＣＵＥポイントの信号のみがキューバス（ＣＵＥ）４６へ入力され、ＣＵＥ（ｉ）ＳＷのオンイベント処理は終了する。なお、ＣＵＥポイントの信号とは、当該ｃｈ（ｃｃ）におけるプリ・ポスト切換スイッチＳＷ１／ＳＷ３から出力される信号である。
【００３７】
また、ステップＳ２１にてキューチャンネルｃｃと前回のキューチャンネルｃｃｏとが一致すると判断された場合は同じチャンネルにおけるキュー（ＣＵＥ）スイッチ２１ｄが２度続けて押されたことになり、ステップＳ３１に分岐してキューチャンネルｃｃｏに”０”が設定されて検聴を指示するチャンネルがないものとされる。すなわち、キュー（ＣＵＥ）スイッチ２１ｄはトグル式となっており、オンされているキュー（ＣＵＥ）スイッチ２１ｄをさらに押した際には当該キュー（ＣＵＥ）スイッチ２１ｄがオフとなり、対応するチャンネルの検聴が解除される。次いで、ステップＳ３２に進みモニタチャンネルにイコライザ４２における何れかのＧＥＱが挿入されているか否かが判断される。ここで、モニタチャンネルにＧＥＱが挿入されていると判断されるとステップＳ３３に分岐してモニタチャンネルに挿入されている当該ＧＥＱが有効化され、ステップＳ３４に進む。また、モニタチャンネルにＧＥＱが挿入されていないと判断されるとステップＳ３４に進み、ステップＳ３４にて当該ｃｈ（ｃｃ）が割り当てられているチャンネルストリップ２１−ｉにおけるキュー（ＣＵＥ）スイッチ２１ｄが消灯される。次いで、ステップＳ３５にてＤＳＰ制御が行われ、キューバス（ＣＵＥ）４６からモニタチャンネル部５２への信号が無効化されてモニタチャンネル部５２においてモニタミキサ部５１からの信号が扱われるようになり、ＣＵＥ（ｉ）ＳＷのオンイベント処理は終了する。
【００３８】
このＣＵＥ（ｉ）ＳＷのオンイベント処理が実行されることにより、ＥＱ自動バイパススイッチが２２がオンとされ、かつ、キュー（ＣＵＥ）スイッチ２１ｄが押されて何れかの出力チャンネルの検聴が指示された場合は、モニタチャンネルに挿入されているＧＥＱが無効化されるよう制御される。この場合、ＧＥＱが無効化されたことを表示画面に表示するようにしてもよい。表示画面の一例を図１１に示すが、この例では「Auto Bypass:Cueing Output Ch. GEQ1 is Bypassed!」と、出力チャンネルが検聴されていてＧＥＱ１がバイパスされたことを警告する文章が表示されるようになる。
【００３９】
また、ＥＱ自動バイパススイッチ２２がオフされているか、あるいは、何れの出力チャンネルも検聴の指示がされていないときは、モニタチャンネルに挿入されているＧＥＱは有効化される。これにより、出演者に戻している信号を検聴する場合にＥＱ自動バイパススイッチをオンとすることによりモニタチャンネルに挿入されているＧＥＱが自動的にバイパスされて出演者に供給されている音をそのまま確認することができるようになる。また、ＥＱ自動バイパススイッチ２２をオンしておいても、入力チャンネルの検聴を行う場合にはモニタチャンネルに挿入されているＧＥＱが有効となって入力チャンネルの信号の品質を確認することができるようになる。さらに、外部エフェクタやレコーダに信号を入力する出力チャンネルを検聴する場合は、ＥＱ自動バイパススイッチ２２をオフしておくことにより、外部エフェクタやレコーダに信号を入力する出力チャンネルの信号をモニタチャンネルのＧＥＱを有効にして検聴することができるようになる。
【００４０】
次に、ＧＥＱを入力チャンネルおよび出力チャンネルあるいはモニタチャンネルに挿入する設定を行う表示器１６に表示されるＧＥＱ編集画面の一例を図１０に示す。
ＧＥＱ編集画面は図１０に示すように、画面の上部の左隅に編集を行うＧＥＱの番号が表示されるＧＥＱ番号表示部８４があり、「１」が表示されて１番目のＧＥＱの編集を行う表示画面とされている。このＧＥＱ番号表示部８４にカーソルを合わせて増減キー２９あるいはロータリエンコーダ３０を操作することにより、編集するＧＥＱの番号を任意の番号（１〜１６の内の）に設定することができる。その右隣にはオン／オフ表示部８５があり「ＯＮ」と表示されていて１番目のＧＥＱがＯＮとされていることが示されている。このＯＮ／オフ表示部８５にカーソルを合わせて増減キー２９あるいはロータリエンコーダ３０を操作することにより、編集するＧＥＱのオン／オフを設定することができる。
【００４１】
さらにその右隣にはＧＥＱを挿入するチャンネルを設定するインサーション表示部８６が表示されている。インサーション表示部８６には「Monitor」と表示されており、１番目のＧＥＱがモニタチャンネルに挿入されていることが示されている。このインサーション表示部８６にカーソルを合わせて増減キー２９あるいはロータリエンコーダ３０を操作することにより、ＧＥＱを挿入する入力チャンネル、出力チャンネル、モニタチャンネルを設定することができる。この場合、入力チャンネルの何れかが設定された場合はインサーション表示部８６に「Input xxCH」と入力チャンネル番号が表示され、出力チャンネルの何れかが設定された場合はインサーション表示部８６に「Output xxCH」と出力チャンネル番号が表示される。このような設定を１６個のＧＥＱにそれぞれ行うことにより、４８チャンネルの入力チャンネル、１２チャンネルの出力チャンネル、およびモニタチャンネルの内の最大１６チャンネルにそれぞれＧＥＱを挿入することができる。
【００４２】
また、編集画面の上部中央にはフラットボタン８７が設けられており、このフラットボタン８７にカーソルを合わせてエンターキー３１を押すことにより、１番目のＧＥＱの周波数特性をフラットにすることができる。編集画面の中段には編集された周波数特性を表示する周波数特性表示部８８が表示されている。表示されている周波数特性の縦軸はレベル（ｄＢ）、横軸は対数目盛の周波数とされている。編集画面の略下半分にはＧＥＱの周波数特性を編集する複数の操作子を操作する操作部８９が表示されている。操作部８９には多数の操作子がそれぞれの周波数ポイントのレベルを調整できるように表示されており、それぞれの操作子にカーソルを合わせて増減キー２９あるいはロータリエンコーダ３０を操作することにより、当該操作子に対応する周波数のレベルを調整することができる。また、ポインティングデバイスにより操作子をドラッグすることによっても当該操作子に対応する周波数ポイントのレベルを調整することができる。
【００４３】
次に、図１０に示すＧＥＱ編集画面を表示器１６に表示させて編集を行うＧＥＱ編集ボタンオンイベント処理のフローチャートを図１２に示す。
表示器１６に表示されたりパネルに設けられているＧＥＱ編集ボタンが押されるとＧＥＱ編集ボタンオンイベント処理が起動され、（ステップＳ１）Ｓ４０にて図１０に示すようなｘ番目のＧＥＱ（ｘ）の編集画面が表示器１６に表示される。次いで、表示されているＧＥＱ編集画面において何らかの変更操作が行われたか否かが判断される。ここで、ＧＥＱ番号表示部８４、オン／オフ表示部８５、インサーション表示部８６、フラットボタン８７、操作部８９の何れかにおいて変更操作が行われたと判断された場合は、ステップＳ４２に進んで変更操作に応じたパラメータ変更処理が行われると共に、パラメータ変更に応じて更新された編集画面が表示されステップＳ４３へ進む。例えば操作部８９の操作子が移動された場合は移動量に応じたレベルだけ変更された操作子に対応する周波数ポイントのレベルが変更されると共に、操作子の位置および周波数特性表示部８８のレベルが更新された画面が表示される。また、変更操作が行われていないと判断された場合はステップＳ４３に進み、画面切換の操作が行われた否かが判断される。ここで、画面切換の操作が行われたと判断された場合はＧＥＱ編集ボタンオンイベント処理は終了して別画面が表示器１６に表示される。また、画面切換の操作が行われていないと判断された場合は、ステップＳ４１へ戻りステップＳ４１ないしステップＳ４３の処理が繰り返し行われる。
【００４４】
なお、ＣＵＥ／ＭＯＮ切替スイッチ８０では、ゲインを絞ることにより切替制御するようにしてもよい。すなわち、何れかのチャンネルの検聴が指示されている場合はキューバス（ＣＵＥ）４６からの検聴信号に対するゲインを上昇させると共に、モニタミキサ部５１からのモニタ信号に対するゲインを下降させる。これにより、検聴信号を検聴する際にモニタ信号も若干聞こえるように切替制御することができるようになる。また、何れのチャンネルも検聴が指示されていない場合は、キューバス（ＣＵＥ）４６からの検聴信号に対するゲインを最大限絞ると共に、モニタミキサ部５１からのモニタ信号に対するゲインを上昇させる。これにより、モニタ信号のみを聞くことができるように切替制御される。これらの切替制御はＤＳＰにより行われる。
また、モニタミキサ部５１では任意の１ないし複数の出力チャンネルの信号をミキシングして出力することができるようにされている。複数の出力チャンネルの信号がミキシングされた混合信号は、何れのチャンネルも検聴が指示されていない場合に操作者用モニタ２０に出力される。
【００４５】
さらに、出力チャンネルの中には、その検聴時にモニタチャンネルに挿入したＧＥＱを有効化したい出力チャンネルもあるので、各出力チャンネル毎にモニタチャンネルに挿入したＧＥＱの有効／無効を設定できるようにしてもよい。
以上の説明では、ラストキューモードでの本発明の動作を説明したが、ミックスキューモードにも本発明を簡単に適用することができる。ミックスキューモードでは、ラストキューモードとは異なり複数チャンネルを同時に検聴することができる。ただし、同時に検聴されるのは入力チャンネルのみ、あるいは、出力チャンネルのみに限られ、出力チャンネルと入力チャンネルとを同時に検聴することはできない。ミックスキューモードであっても、現在検聴しているのが入力チャンネルか出力チャンネルかを明確に区別することができるので、ラストキューモードの場合と同様に、ＥＱ自動バイパススイッチ２２をオンしておくことにより、出力チャンネルが検聴されているときにモニタチャンネルに挿入したＧＥＱを自動的にバイパスして無効化することができる。
【産業上の利用可能性】
【００４６】
上記の説明では、キューバス（ＣＵＥ）４６、モニタミキサ部５１、モニタチャンネル部５２およびモニタ用アナログ出力部（モニタ用Ａ出力）５３はステレオ構成とし、入力チャンネル、混合バス（ＭＩＸ）４５、出力チャンネルはモノラル構成として説明していたが、これらのすべての構成をステレオ構成にすることができる。さらに、５．１ｃｈ、７．１ｃｈ等のそれ以上の構成も同様にして実現することができる。このように、本発明のミキシング装置においてはステレオ構成や多チャンネルの構成とすることができる。
【図面の簡単な説明】
【００４７】
【図１】本発明のミキシング装置の実施例であるディジタルミキサの構成を示すブロック図である。
【図２】本発明のミキシング装置の実施例であるディジタルミキサにおけるパネルの外観の概略を示す図である。
【図３】本発明のミキシング装置の実施例であるディジタルミキサにおいてミキシング処理が行われる等価的な機能ブロック図である。
【図４】本発明のミキシング装置の実施例であるディジタルミキサにおける入力チャンネル部の１チャンネル分の構成例を示す図である。
【図５】本発明のミキシング装置の実施例であるディジタルミキサにおける出力チャンネル部の１チャンネル分の構成例を示す図である。
【図６】本発明のミキシング装置の実施例であるディジタルミキサにおけるモニタチャンネルの構成例を示す図である。
【図７】本発明のミキシング装置の実施例であるディジタルミキサにおいて実行されるレイヤ（ｉ）ＳＷのオンイベント処理のフローチャートである。
【図８】本発明のミキシング装置の実施例であるディジタルミキサにおいて実行されるｃｈフェーダ（ｉ）の操作イベント処理のフローチャートである。
【図９】本発明のミキシング装置の実施例であるディジタルミキサにおいて実行されるＣＵＥ（ｉ）ＳＷのオンイベント処理のフローチャートである。
【図１０】本発明のミキシング装置の実施例であるディジタルミキサにおける表示器に表示されるＧＥＱ編集画面の一例を示す図である。
【図１１】本発明のミキシング装置の実施例であるディジタルミキサにおいてＧＥＱが無効化されたことを表示画面に表示する表示画面の一例である。
【図１２】本発明のミキシング装置の実施例であるディジタルミキサにおいて実行されるＧＥＱ編集ボタンオンイベント処理のフローチャートである。
【符号の説明】
【００４８】
１  ディジタルミキサ、１０  ＣＰＵ、１１  フラッシュメモリ、１２  ＲＡＭ、１３  その他Ｉ／Ｏ、１４  波形Ｉ／Ｏ、１５  信号処理部、１６  表示器、１７  電動フェーダ、１８  操作子、１９  バス、２０  操作者用モニタ、２１−１〜２１−１２  チャンネルストリップ、２１ｂ  チャンネルスイッチ、２１ｃ  フェーダ摘み、２１ｄ  キュー（ＣＵＥ）スイッチ、２２  ＥＱ自動バイパススイッチ、２３〜２７  スイッチ、２８  カーソル移動キー、２９  増減キー、３０  ロータリエンコーダ、３１  エンターキー、４０  アナログ入力ポート（Ａ入力）、４１  ディジタル入力ポート（Ｄ入力）、４２  イコライザ、４３  入力パッチ、４４  入力チャンネル、４４  入力チャンネル部、４７  出力チャンネル、４７  出力チャンネル部、４８  出力パッチ、４９  アナログ出力ポート部（Ａ出力）、５０  ディジタル出力ポート部（Ｄ出力）、５１  モニタミキサ部、５１  操作者モニタミキサ部、５２  モニタチャンネル部、５３  モニタ用アナログ出力部（モニタ用Ａ出力）、６０  アッテネータ、６１  ４バンドＰＥＱ、６２  コンプレッサ、６３  ＧＥＱ、６４  フェーダ＆ＯＮ、６５  センド調整部、７０  アッテネータ、７１  ４バンドＰＥＱ、７２  コンプレッサ、７３  ＧＥＱ、７４  フェーダ＆ＯＮ、８０  ＣＵＥ／ＭＯＮ切替スイッチ、８１  ＧＥＱ、８２  ボリューム＆ＯＮ、８４  ＧＥＱ番号表示部、８５  オン／オフ表示部、８６  インサーション表示部、８７  フラットボタン、８８  周波数特性表示部、８９  操作部、ＳＷ１，ＳＷ３  プリ／ポスト切換スイッチ、ＳＷ２，ＳＷ４  キュースイッチ
【図１】
2006270507.tif 000003
【図２】
2006270507.tif 000004
【図３】
2006270507.tif 000005
【図４】
2006270507.tif 000006
【図５】
2006270507.tif 000007
【図６】
2006270507.tif 000008
【図７】
2006270507.tif 000009
【図８】
2006270507.tif 000010
【図９】
2006270507.tif 000011
【図１０】
2006270507.tif 000012
【図１１】
2006270507.tif 000013
【図１２】
2006270507.tif 000014